(57)【要約】【課題】図柄等を表示した表示体の位置決めおよび固定作業を容易に行ない得る補助表示装置の回転表示体を提供する。【解決手段】駆動手段４１に連繋接続した第１の回転体２５に、その横断面において非円形の支持軸２３を立設する。また、第１〜第３表示体３１，３４，３７の裏面に、第１〜第３通孔３６ａ，３９ａを設けた第１〜第３取付部３６，３９を夫々突設する。このとき、前記第１〜第３通孔３６ａ，３９ａの内部輪郭形状は、前記支持軸２３の外部輪郭形状と合致するよう形成される。これにより、前記支持軸２３に対して前記第１〜第３通孔３６ａ，３９ａを介して前記第１〜第３表示体３１，３４，３７を嵌着した際に、該支持軸２３に対する各表示体３１，３４，３７の周方向の取付け位置が特定される。【選択図】　図１
2004033304.tif 000002
【特許請求の範囲】
【請求項１】
遊技機の遊技盤面に配設される特別図柄表示装置の遊技演出を補助する補助表示装置の一部を構成する回転表示体であって、
駆動手段に連繋接続し、該駆動手段により回転および停止がなされる回転体と、
前記回転体に接続されて一体的に回転する支持軸と、
前記支持軸に着脱交換可能に配設される少なくとも１つの表示体とを備え、
前記支持軸は、その横断面において非円形となるよう形成され、また前記表示体は、その裏面に通孔を設けた取付部が突設されると共に、該通孔の内部輪郭形状は、前記支持軸の外部輪郭形状と合致するよう形成されており、
前記支持軸に対して通孔を介して前記表示体を嵌着した際に、該支持軸に対する表示体の周方向の取付け位置が特定されるよう構成した
ことを特徴とする補助表示装置の回転表示体。
【請求項２】
前記支持軸に前記表示体が複数配設されて、各表示体の前記取付部は、前記支持軸に配設した際に該支持軸の軸方向に相互に異なる位置に突設されると共に、前記各通孔における内部輪郭形状の一部をなし、前記支持軸の外部輪郭形状の一部をなす規制部と係合して周方向の位置決めを行なう係合部は、前記規制部と係合部とを係合するように前記支持軸に対して通孔を介して前記表示体を嵌着した際に前記各表示体が前記支持軸の周方向に相互に変位する位置に配置される関係で、当該の表示体に対して夫々設けられており、これにより前記支持軸に対する各表示体の周方向の取付け位置が特定される請求項１記載の補助表示装置の回転表示体。
【請求項３】
前記表示体を前記支持軸に配設した際に、該支持軸の一端に前記回転体が配設されると共に、当該支持軸の他端に第２の回転体が配設されて、両回転体の間に、前記表示体が位置するよう構成した請求項１または２記載の補助表示装置の回転表示体。
【請求項４】
前記両回転体の何れか一方に、前記表示体の位置基準として機能する位置検出体を設けた請求項３記載の補助表示装置の回転表示体。
【発明の詳細な説明】
【０００１】
【発明の属する技術分野】
この発明は、補助表示装置の回転表示体に関し、更に詳細には、遊技機の所要箇所に配設されて補助的な遊技演出を行なう補助表示装置の回転表示体に関するものである。
【０００２】
【従来の技術】
例えば、代表的な遊技機であるパチンコ機やアレンジボール機等は、機内にセットされる遊技盤上の遊技領域の所要位置に、数字や文字等の識別可能な図柄を変動表示し得る各種の特別図柄表示装置が配設され、遊技状態に対応して該特別図柄表示装置で図柄変動や種々の演出（リーチ演出や大当り演出等）を行ない、遊技の興趣を増大させ得るようになっている。また、前記特別図柄表示装置とは別に、所要の動作を行なう可動体を備えた補助表示装置を遊技機に配設したものも提案されている。この補助表示装置は、前記特別図柄表示装置の図柄変動に併せて前記可動体が上下動や前後動等するものである。
【０００３】
【発明が解決しようとする課題】
しかし、補助的な演出を行なう前記補助表示装置の可動体は、単に上下動や前後動するだけであって、演出効果に乏しい欠点を内在している。そこで、図柄等を表示した複数の表示体を配設し、前記特別図柄表示装置における図柄変動に併せて、遊技者に表示する表示体を変化させるよう構成した補助演出装置により、演出効果を向上させることが考えられる。ところが、この種の補助演出装置では、前記各表示体を駆動源に対して１つずつ位置決めした状態でビス等を用いて位置決め固定する必要があり、組付け作業が非常に煩雑となる問題が指摘される。
【０００４】
【発明の目的】
本発明は、前述した従来の技術に内在している前記課題に鑑み、これを好適に解決するべく提案されたものであって、図柄等を表示した表示体の位置決めおよび固定作業を容易に行ない得る補助表示装置の回転表示体を提供することを目的とする。
【０００５】
【課題を解決するための手段】
前記課題を克服し、所期の目的を達成するため、本発明に係る補助表示装置の回転表示体は、
遊技機の遊技盤面に配設される補助表示装置（２０）の一部を構成する回転表示体であって、
駆動手段（４１）に連繋接続し、該駆動手段（４１）により回転および停止がなされる回転体（２５）と、
前記回転体（２５）に接続されて一体的に回転する支持軸（２３）と、
前記支持軸（２３）に着脱交換可能に配設される少なくとも１つの表示体（３１，３４，３７）とを備え、
前記支持軸（２３）は、その横断面において非円形となるよう形成され、また前記表示体（３１，３４，３７）は、その裏面に通孔（３３ａ，３６ａ，３９ａ）を設けた取付部（３３，３６，３９）が突設されると共に、該通孔（３３ａ，３６ａ，３９ａ）の内部輪郭形状は、前記支持軸（２３）の外部輪郭形状と合致するよう形成されており、
前記支持軸（２３）に対して前記通孔（３３ａ，３６ａ，３９ａ）を介して前記表示体（３１，３４，３７）を嵌着した際に、該支持軸（２３）に対する表示体（３１，３４，３７）の周方向の取付け位置が特定されるよう構成したことを特徴とする。
【０００６】
また、前記支持軸（２３）に前記表示体（３１，３４，３７）を複数配設して、各表示体（３１，３４，３７）の前記取付部（３３，３６，３９）を、前記支持軸（２３）に配設した際に該支持軸（２３）の軸方向に相互に変位し得る位置に突設すると共に、前記各通孔（３３ａ，３６ａ，３９ａ）における内部輪郭形状の一部をなし、前記支持軸（２３）の外部輪郭形状の一部をなす規制部（２３ａ）と係合して周方向の位置決めを行なう係合部（３３ｂ，３６ｂ，３９ｂ）は、前記規制部（２３ａ）と係合部（３３ｂ，３６ｂ，３９ｂ）とを係合するように前記支持軸（２３）に対して通孔（３３ａ，３６ａ，３９ａ）を介して前記表示体（３１，３４，３７）を嵌着した際に前記各表示体（３１，３４，３７）が前記支持軸（２３）の周方向に相互に変位する位置に配置される関係で、当該の表示体（３１，３４，３７）に対して夫々設けられており、これにより前記支持軸（２３）に対する各表示体（３１，３４，３７）の周方向の取付け位置が特定されるよう構成してもよい。
【０００７】
更に、前記表示体（３１，３４，３７）を前記支持軸（２３）に配設した際に、該支持軸（２３）の一端に前記回転体（２５）を配設すると共に、当該支持軸（２３）の他端に第２の回転体（２７）を配設して、両回転体（２５，２７）の間に、前記表示体（３１，３４，３７）が位置するよう構成することも可能である。
【０００８】
そして、前記両回転体（２５，２７）の何れか一方に、前記表示体（３１，３４，３７）の位置基準として機能する位置検出体（２８）を設けてもよい。
【０００９】
【作用】
本発明に係る補助表示装置の回転表示体は、駆動手段により回転および停止がなされる回転体に接続されて一体的に回転する支持軸を、その横断面が非円形となるよう形成し、前記支持軸に着脱交換可能に配設される少なくとも１つの表示体の裏面に突設した取付部に、該支持軸の外部輪郭形状と合致する内部輪郭形状の通孔を形成し、支持軸に対して通孔を介して表示体を嵌着することで、該支持軸に対する表示体の周方向の位置を特定することができるから、ビス等を使用することなく位置決めすることが可能で、簡単に組付け作業を行ない得る。また、前記支持軸に前記表示体を複数配設した際に、各表示体の前記取付部を、該支持軸の軸方向に相互に異なる位置に突設すると共に、前記各通孔における内部輪郭形状の一部をなし、前記支持軸の外部輪郭形状の一部をなす規制部と係合して周方向の位置決めを行なう係合部を、前記規制部と係合部とを係合するように前記支持軸に対して通孔を介して前記表示体を嵌着した際に前記各表示体が前記支持軸の周方向に相互に変位する位置に配置される関係で、当該の表示体に対して夫々設けることで、前記支持軸に対する各表示体の周方向の取付け位置を特定することができる。
【００１０】
前記支持軸の一端に配設した回転体と他端に配設した第２の回転体との間に、前記表示体を配設するようにしたので、該表示体の支持軸からの抜け止めがなされ、当該表示体を常には所定の位置に位置させることが可能となる。また、前記両回転体の何れか一方に位置検出体を設けたことで、該位置検出体を検出することで前記表示体の原位置が認識できるようになる。
【００１１】
【発明の実施の形態】
次に、本発明に係る補助表示装置の回転表示体につき、好適な実施例を挙げて添付図面を参照しながら、以下詳細に説明する。ここで本実施例では、遊技機としてパチンコ球を遊技媒体として使用し、特別図柄表示装置において図柄変動ゲームやリーチ演出、大当り演出等の遊技演出を行なうパチンコ機を例示する。
【００１２】
（パチンコ機について）
先ず本実施例におけるパチンコ機の概略構成について、図２を参照して説明する。本実施例のパチンコ機Ｐは、その基本的な概略構成として、外枠Ａの開口前面側に対して前枠Ｂが、連結支持手段および施錠手段を利用して着脱および開閉可能に組付けられている。そして前枠Ｂに、横開き式のガラス扉を組付けた窓枠Ｃと、ガラス扉の下部において窓枠Ｃに対して着脱および開閉可能に組付けられる開閉セット板（図示せず）の前側にセットされて遊技球を貯留し得る上球皿Ｅおよび後側にセットされた電動式の球送り装置（図示せず）と、これらの下段に配設されて前記上球皿Ｅに収容しきれない遊技球を貯留する下球皿Ｆおよび遊技球を遊技領域Ｉに打出す打球発射装置Ｈと、後側に位置する機構セット盤（図示せず）等が夫々装備されている一方、前枠Ｂに所要の遊技領域Ｉを構成した遊技盤Ｊが着脱交換可能にセットされる。
【００１３】
（遊技盤について）
前記遊技盤Ｊは、図２に示すように、略円形状に湾曲形成したレール１０により囲まれた遊技領域Ｉの前側において、縦央やや下部に配設されて球をスイッチで検出し得る始動入賞具１１と、この始動入賞具１１の直上方に前記特別図柄表示装置Ｋが整合すると共に、内壁面をメッキ処理して開設された可視表示部１５を形成した大型装飾部品Ｌと、風車とも称されて遊技球の落下方向を変向する普通案内車１３と、始動入賞具１１の直下方に設置された大型電動式の入賞装置Ｍ等が配設される。また、前記始動入賞具１１内に配設された図示しないスイッチは、各遊技球の検出毎に特別図柄表示装置Ｋを１回ずつ変動開始させるための始動入力手段として利用される。
【００１４】
前記大型装飾部材Ｌにおける前記特別図柄表示装置Ｋの下方位置には、複数（実施例では４つ）の記憶表示部Ｎが設けられており、特別図柄表示装置Ｋが変動中、または「大当り」の時に、遊技球が始動入賞具１１に入賞した際に通常得られる情報が最大４個の入賞分まで始動記憶され、該記憶表示部Ｎにその始動記憶数が点灯表示される。そして、前記特別図柄表示装置Ｋが変動可能な状態となると、その始動記憶数に基づいて図柄の変動が開始されると共に、前記始動記憶が１つ消化され、かつ前記記憶表示部Ｎが消灯されるようになっている。
【００１５】
（補助表示装置について）
前記特別図柄表示装置Ｋの上方には、該特別図柄表示装置Ｋにおけるメインの遊技演出に併せて、補助的な遊技演出を行なう補助表示装置２０が配設されている。前記補助表示装置２０は、図３に示すように、図示しない制御手段に運転制御される駆動手段４１と、該駆動手段４１により回転および停止がなされる回転表示体２１とを備えている。なお、前記駆動手段４１は、一般的な電動モータであって、駆動軸４１ａを下向きとした状態で図示しない装置本体に配設固定してある。また、前記駆動軸４１ａの端部に、前記駆動手段４１の動力を伝達する動力伝達手段としての第１歯車４２が一体回転可能に取付けられている。
【００１６】
前記回転表示体２１は、図１に示すように、前記駆動手段４１により回転および停止がなされる第１の回転体２５と、該第１の回転体２５に立設（一端が接続）されて一体的に回転する支持軸２３と、該支持軸２３に着脱交換可能に配設され、表面に各種図柄を表示した３つの第１〜第３表示体３１，３４，３７と、当該支持軸２３の上端部（他端）に着脱可能に配設される第２の回転体２７とから基本的に構成される。すなわち、前記支持軸２３に配設された前記第１〜第３表示体３１，３４，３７は、前記第１の回転体２５と第２の回転体２７との間に位置している。また、前記大型装飾部材Ｌの上方位置に開設した開口部Ｌａから、前記第１〜第３表示体３１，３４，３７を露出するようになっている。なお、以下の説明においては、前記大型装飾部材Ｌの開口部Ｌａから第１表示体３１を露出させた状態で、前記回転表示体２１を停止させているものとする。
【００１７】
（支持軸について）
前記支持軸２３は、図１に示すように、上下方向に延在する円柱状の長尺部材であって、その上下方向の全長に亘って一部を切り欠いた切欠面（規制部）２３ａが形成されている。これにより、前記支持軸２３は、その横断面が非円形、すなわち、該支持軸２３の横断面における重心位置から、該横断面における外周の一点までの距離と他点までの距離とが相違するよう構成されている。
【００１８】
（表示体について）
前記第１〜第３表示体３１，３４，３７の夫々は、略矩形平板状に形成されて表面に図柄を表示した第１〜第３図柄表示部３２，３５，３８と、該第１〜第３図柄表示部３２，３５，３８の裏面に垂直となるよう所要量だけ突設した第１〜第３支持片３１ａ，３４ａ，３７ａの端部に形成された第１〜第３取付部３３，３６，３９とから構成される。また、図４〜図６に示すように、前記第１表示体３１における前記第１取付部３３は、前記第１図柄表示部３２の裏面における下方位置で、その左右方向の略中央位置に形成され、前記第２表示体３４における前記第２取付部３６は、該第２表示体３４の裏面における上下および左右方向の略中央位置に形成されると共に、前記第３表示体３７における前記第３取付部３９は、該第３表示体３７の裏面における上方位置で、その左右方向の略中央位置に形成してある。すなわち、前記第１〜第３取付部３３，３６，３９は、対応する第１〜第３表示体３１，３４，３７における上下方向（前記支持軸２３の軸方向）に相互に異なる位置に形成されている。なお、前記第１〜第３取付部３３，３６，３９の上下方向の寸法は、前記各表示体３１，３４，３７の上下方向の寸法の略１／３に設定してある。
【００１９】
前記第１〜第３取付部３３，３６，３９には、各取付部３３，３６，３９を上下方向に貫通する第１〜第３通孔３３ａ，３６ａ，３９ａが夫々形成されており、各通孔３３ａ，３６ａ，３９ａの内部輪郭形状は、前記支持軸２３の外部輪郭形状と合致するようになっている（図５参照）。すなわち、第１〜第３通孔３３ａ，３６ａ，３９ａには、その内部輪郭形状の一部をなし、前記支持軸２３の外部輪郭形状の一部をなす前記切欠面２３ａと係合する第１〜第３支持面（係合部）３３ｂ，３６ｂ，３９ｂが形成されており、該切欠面２３ａと各支持面３３ｂ，３６ｂ，３９ｂとを係合させた状態で、支持軸２３に対して通孔３３ａ，３６ａ，３９ａを介して表示体３１，３４，３７を嵌着した際に、当該支持軸２３に対する各表示体３１，３４，３７の周方向の取付け位置が特定されるようになっている。
【００２０】
ここで、前記第１通孔３３ａの内部輪郭形状の一部をなし、前記支持軸２３の切欠面２３ａと係合する第１支持面３３ｂは、前記第１図柄表示部３２と平行となるよう形成してある。また、前記第２通孔３６ａの内部輪郭形状の一部をなし、前記支持軸２３の切欠面２３ａと対応する第２支持面３６ｂは、前記第２図柄表示部３５が手前側に位置する状態で、前記第２表示体３４を図５に示すよう上方から見た場合に、該第２図柄表示部３５に対して右上がりに傾斜するよう形成されると共に、該第２図柄表示部３５に対する当該第２支持面３６ｂの仰角が略６０度となるよう設定してある。更に、前記第３通孔３９ａの内部輪郭形状の一部をなし、前記支持軸２３の切欠面２３ａと対応する第３支持面３９ｂは、前記第３図柄表示部３８が手前側に位置する状態で、前記第３表示体３７を図５に示すよう上方から見た場合に、該第３図柄表示部３８に対して左上がりに傾斜するよう形成されると共に、該第３図柄表示部３８に対する第３支持面３９ｂの仰角が略６０度となるよう設定してある。
【００２１】
このように、前記第１〜第３取付部３３，３６，３９に形成された第１〜第３通孔３３ａ，３６ａ，３９ａには、対応する前記第１〜第３図柄表示部３２，３５，３８に対して第１〜第３支持面３３ｂ，３６ｂ，３９ｂが夫々異なる角度となるよう形成されている。これにより、前記支持軸２３に対して前記第１〜第３通孔３３ａ，３６ａ，３９ａを介して前記第１〜第３表示体３１，３４，３７を嵌着した際に、該第１〜第３表示体３１，３４，３７の前記第１〜第３支持片３１ａ，３４ａ，３７ａの夫々が、該支持軸２３の周方向に略１２０度に変位した位置に配置される（図５参照）。すなわち、前記第１図柄表示部３２が前方向を指向し、前記第２図柄表示部３５が右後方向を指向すると共に、前記第３図柄表示部３８が左後方向を指向して夫々配置され、前記回転表示体２１を上方から見た際に、前記第１〜第３表示体３１，３４，３７による外郭が略三角形を呈するようになっている（図５参照）。
【００２２】
（第１の回転体について）
また、図１または図３に示すように、前記第１の回転体２５は略円板状に形成されており、該第１の回転体２５の下部位置には、前記駆動手段４１における前記第１歯車４２と噛合する第２歯車２６が一体的に形成され、該駆動手段４１の回転および停止に併せて、当該第１の回転体２５も回転および停止するよう構成される。更に、前記第１の回転体２５における下面側の略中央位置に下回転軸２５ｃが垂設されており、該下回転軸２５ｃを介して第１の回転体２５（回転表示体２１）が前記装置本体に回転可能に支持されるようになっている。また、前記第１の回転体２５における上面側の略中央位置に、前記支持軸２３の外部輪郭形状と合致する内部輪郭形状の下軸孔２５ａが設けられており、該下軸孔２５ａを介して支持軸２３の下端部（一端）に第１の回転体２５が外嵌されている。なお、前記下軸孔２５ａの内部輪郭の一部をなし、前記支持軸２３の外部輪郭形状の一部をなす前記切欠面２３ａと係合する下部支持面２５ｂは、該下軸孔２５ａの前側に位置している（図５参照）。
【００２３】
更に、前記第１の回転体２５の上面側には、図１に示すように、上方に向かって所要量だけ突出した第１の位置規制部２５ｄが略三角形を呈するよう形成され、該第１の位置規制部２５ｄにおける各辺の外側面に前記第１〜第３表示体３１，３４，３７における第１〜第３図柄表示部３２，３５，３８の裏面の下端部が対応的に当接して、各表示体３１，３４，３７を位置決めしている。また、前記支持軸２３に対して第１〜第３表示体３１，３４，３７を正しい順序（支持軸２３に対して、第１表示体３１、第２表示体３４、第３表示体３７の順）で嵌着した状態で、各表示体３１，３４，３７の下端が第１の回転体２５の上面に当接して位置決めされるようになっている。なお、前記第１表示体３１に対応する前記第１の位置規制部２５ｄの一辺（前側の辺）には、該第１表示体３１の前記第１支持片３１ａが嵌通可能な第１の切欠部２５ｅを形成してある。
【００２４】
（第２の回転体について）
前記第２の回転体２７は、図１，図３または図６に示すように、前記第１の回転体２５より小径の円板状に形成されている。そして、前記第２の回転体２７における上面側の略中央位置に、上回転軸２７ｃが突設されて、該上回転軸２７ｃを介して第２の回転体２７（回転表示体２１）が前記装置本体に回転可能に支持される。また、前記第２の回転体２７における下面側の略中央位置に、前記支持軸２３の外部輪郭形状と合致する内部輪郭形状の上軸孔２７ａが設けられており、該上軸孔２７ａを介して支持軸２３の上端部に第２の回転体２７が外嵌される。なお、前記上軸孔２７ａの内部輪郭の一部をなし、前記支持軸２３の外部輪郭形状の一部をなす前記切欠面２３ａと係合する上部支持面２７ｂは、該上軸孔２７ａの前側に位置している（図６参照）。
【００２５】
更に、前記第２の回転体２７の下面側には、図６に示すように、下方に向かって所要量だけ突出した第２の位置規制部２７ｄが略三角形を呈するよう形成され、該第２の位置規制部２７ｄにおける各辺の外側面に前記第１〜第３表示体３１，３４，３７における第１〜第３図柄表示部３２，３５，３８の裏面の上端部が対応的に当接して各表示体３１，３４，３７を位置決めしている。また、前記支持軸２３に対して第１〜第３表示体３１，３４，３７を前述した順序で嵌着した状態で、各表示体３１，３４，３７の上端が第２の回転体２７の下面に当接して位置決めされるようになっている。なお、前記第２の位置規制部２７ｄにおける前記第３表示体３７と対応する一辺（左後側の辺）には、該第３表示体３７の第３支持片３７ａが嵌通可能な第２の切欠部２７ｅを形成してある。すなわち、前記第２の切欠部２７ｅに前記第１表示体３１の第１支持片３１ａが嵌通すると共に、前記第１の回転体２５における第１の切欠部２５ｅに前記第３表示体３７の第３支持片３７ａが嵌通することにより、３個の表示体３１，３４，３７が嵌着された支持軸２３に対する第１および第２の回転体２５，２７の取付け位置が特定されるようになっている
【００２６】
また、前記第２の回転体２７の上面側において前記第１表示体３１と離間する位置（後部位置）には、前記第１〜第３表示体３１，３４，３７の位置基準として機能する位置検出体２８（図１参照）が形成されており、図示しない検出手段により該位置検出体２８を検出することで、各表示体３１，３４，３７の原位置が認識されるようになっている。なお、実施例では、前記検出手段が前記位置検出体２８を検出した際に、前記第１表示体３１が前記大型装飾部材Ｌの開口部Ｌａから外部に露出するよう構成されている。
【００２７】
【実施例の作用】
次に、前述した補助表示装置の回転表示体の作用について説明する。先ず、前記回転表示体２１の組付けについて説明する。前記第１の回転体２５の下軸孔２５ａに前記支持軸２３の下端部を嵌挿して、該支持軸２３を第１の回転体２５に立設する。そして、前記第１表示体３１の前記第１取付部３３に形成した第１通孔３３ａを介して、該第１表示体３１を前記支持軸２３に嵌着し、次いで前記第２表示体３４の前記第２取付部３６に形成した第２通孔３６ａを介して、該第２表示体３４を前記支持軸２３に嵌着すると共に、前記第３表示体３７の前記第３取付部３９に形成した第３通孔３９ａを介して、該第３表示体３７を前記支持軸２３に嵌着する。更に、前記第２の回転体２７の前記上軸孔２７ａを介して、該第２の回転体２７を前記支持軸２３の上端部に嵌着することで、前記回転表示体２１が組付けられる。このように、前記回転表示体２１を、ビス等を使用することなく各部材２３，２５，２７，３１，３４，３７を組付けることができるので、作業工程数を減少させて作業時間を短縮し得る。
【００２８】
また、前記支持軸２３に配設した前記第１〜第３表示体３１，３４，３７は、該支持軸２３の上下端部に配設された前記第１の回転体２５および第２の回転体２７により上下方向の移動が規制されるので、該第１〜第３表示体３１，３４，３７が支持軸２３から脱離することはなく、当該第１〜第３表示体３１，３４，３７を常に所定の位置に保持することが可能である。そして、前記支持軸２３から前記第２の回転体２７または第１の回転体２５を取外した状態においては、前記第１〜第３表示体３１，３４，３７を該支持軸２３から取外すことができるから、図柄のデザイン等を変更する際には、第１〜第３表示体３１，３４，３７のみを交換することで簡単に対応できる。
【００２９】
ここで、前記支持軸２３は、その横断面が前記切欠面２３ａを有する非円形に形成されると共に、前記第１〜第３表示体３１，３４，３７の取付部３３，３６，３９には、該支持軸２３の外部輪郭形状と合致し、前記切欠面２３ａと係合する第１〜第３支持面３３ｂ，３６ｂ，３９ｂを有する内部輪郭形状とした前記第１〜第３通孔３３ａ，３６ａ，３９ａが夫々形成されている。このため、前記支持軸２３の切欠面２３ａと各支持面３３ｂ，３６ｂ，３９ｂとが係合する一定の向きからのみ、前記第１〜第３表示部３１，３４，３７を該支持軸２３に嵌着することが可能となる。更に、前記第１支持面３３ｂを前記第１図柄表示部３２に対して平行に形成し、前記第２支持面３６ｂを前記第２図柄表示部３５に対して右上がりに略６０度で傾斜するよう形成し、前記第３支持面３９ｂを前記第３図柄表示部３８に対して左上がりに略６０度で傾斜するよう形成してある。従って、前記切欠面２３ａと第１〜第３支持面３３ｂ，３６ｂ，３９ｂとを係合させた状態で前記第１〜第３表示体３１，３４，３７を前記支持軸２３に嵌着した際に、各図柄表示部３２，３５，３８を支持軸２３の周方向に相互に変位した位置（第１図柄表示部３２が前側を指向し、第２図柄表示部３５が右後側を指向し、第３図柄表示部３８が左後側を指向する位置）に配設される。
【００３０】
更にまた、前記第１〜第３取付部３３，３６，３９は、前記各第１〜第３図柄表示部３２，３５，３８の裏側において上下方向（支持軸２３の軸方向）に相互に異なる位置（第１表示体３１については下部位置、第２表示体３４については中央位置、そして第３表示体３７については上部位置）に設けてある。このため、前記第１〜第３取付部３３，３６，３９を所定の位置（第１取付部３３、第２取付部３６、第３取付部３９の順で下から上に整列する位置）となるよう前記支持軸２３に嵌着した場合のみに、前記第１〜第３表示体３１，３４，３７の全てが同一の高さ位置に配置される。このように、前記第１〜第３表示体３１，３４，３７の前記第１〜第３取付部３３，３６，３９を、前記支持軸２３の軸方向に相互に異なる位置に突設する。更に、前記各通孔３３ａ，３６ａ，３９ａにおける内部輪郭形状の一部をなし、前記支持軸２３の外部輪郭形状の一部をなす前記切欠面２３ａと係合して周方向の位置決めを行なう各支持面３３ｂ，３６ｂ，３９ｂを、該切欠面２３ａと支持面３３ｂ，３６ｂ，３９ｂとを係合するように支持軸２３に対して前記表示体３１，３４，３７を嵌着した際に前記各表示体３１，３４，３７が前記支持軸２３の周方向に相互に変位する位置に配置される関係で、当該の表示体３１，３４，３７に対して夫々設けることにより、該第１〜第３表示体３１，３４，３７を該支持軸２３の周方向に相互に変位させた状態で、当該支持軸２３に対する各表示体３１，３４，３７の取付け位置を特定することができる。
【００３１】
従って、前記第１〜第３表示体３１，３４，３７を前記支持軸２３に異なる順序で配設した場合には、前記第１〜第３図柄表示部３２，３５，３８が同一の高さ位置に位置しない不具合が生じ、各表示体３１，３４，３７の何れかを上下反転させた向きで配設した場合には、各表示体３１，３４，３７の前記第１〜第３図柄表示部３２，３５，３８が該支持軸２３に対して同一方向に位置する等の不具合が生ずる。このため、前記回転表示体２１の組付け作業に不慣れな作業者であっても組付け作業時の誤りが容易に理解されるので、確実に組付け作業を行なうことができる。
【００３２】
また、前記支持軸２３を立設する前記第１の回転体２５の下軸孔２５ａを、該支持軸２３の外部輪郭形状と合致する内部輪郭形状に形成してあるので、前記駆動手段４１を駆動して該第１の回転体２５を回転させた際に、当該第１の回転体２５の下部支持面２５ｂが支持軸２３の切欠面２３ａと係合して、当該支持軸２３が下軸孔２５ａ内で滑ることなく一体的に回転する。同様に、前記支持軸２３が回転された際に、該支持軸２３の切欠面２３ａが前記第１〜第３表示体３１，３４，３７の前記第１〜第３支持面３３ｂ，３６ｂ，３９ｂと係合して、当該支持軸２３に対して第１〜第３表示体３１，３４，３７が滑ることなく一体的に回転する。更に、前記支持軸２３が回転された際に、該支持軸２３の切欠面２３ａが前記第２の回転体２７の上支持面２７ｂと係合するので、当該支持軸２３に対して第２の回転体２７も滑ることなく回転される。従って、前記第２の回転体２７の回転に伴って、該第２の回転体２７に形成した前記位置検出体２８が回転され、該位置検出体２８を前記検出手段により検出することで前記第１〜第３表示体３１，３４，３７の位置を認識することができるので、前記大型装飾部材の開口部Ｌａから所定の表示体を表示して所要の遊技演出を行ない得る。
【００３３】
更に、前記第１および第２の回転体２５，２７に形成した第１および第２の位置規制部２５ｄ，２７ｄが前記第１〜第３図柄表示部３２，３５，３８の裏面側に当接するようになっているので、前記回転表示体２１を回転させた際における前記第１〜第３表示体３１，３４，３７のガタツキが抑制され、安定した遊技演出が可能となっている。そして、前記第１の回転体２５における第１の位置規制部２５ｄに、前記第１表示体３１に設けた第１支持片３１ａを嵌挿する第１の切欠部２５ｅを形成したことで、該第１表示体３１の第１取付部３３を前記支持軸２３に嵌着する際の目印として機能するので、組付け作業が容易となる。なお、前記第１の回転体２５に立設した前記支持軸２３に対し、上下を反転させた第３表示体３７を嵌着した場合、前記第１の切欠部２５ｅに該第３表示体３７の第３支持片３７ａは嵌挿されないから、第１表示体３１が取付けられるべき位置に、上下を反転させた第３表示体３７を配設するという誤りは防止される。
【００３４】
前記第２の回転体２７に形成した前記第２の位置規制部２７ｄに、前記第３表示体３７に設けた第３支持片３７ａを嵌挿する第２の切欠部２７ｅを形成したことにより、該第２の回転体２７を前記支持軸２３に嵌着する際の目印として機能するので、組付け作業が容易になる。また、前述と同様に、前記第２の回転体２７における前記第２の切欠部２７ｅに、前記第１表示体３１の第１支持片３１ａを嵌挿しようとした場合、該第２の回転体２７の上軸孔２７ａと第１表示体３１の第１通孔３３ａとが整列しないので、第３表示体３７が取付けられるべき位置に、上下を反転させた第１表示体３１を配設するという誤りは防止される。
【００３５】
【変更例】
前記回転表示体の構成としては、実施例のものに限られず、各種の変更が可能である。例えば、前記支持軸に対して周方向に３つの表示体を配設するようにしたが、これに限られるものではない。すなわち、前記支持軸の切欠面と係合して周方向の位置決めを行なう前記表示体の支持面を、該切欠面と支持面とが係合するように支持軸に対して通孔を介して前記表示体を嵌着した際に各表示体が支持軸の周方向に相互に変位する位置に配置される関係で、当該の表示体に対して夫々設ければ、該支持軸に１つまたは２つの表示体を着脱可能に配設することもでき、更に、当該支持軸に４つ以上の表示体を着脱可能に配設することも可能である。
【００３６】
また、円柱状とした前記支持軸の軸方向の全長に亘って前記切欠面を設けることで、その横断面が非円形となるよう構成したが、例えば円柱状とした支持軸の周方向に突出する突出部（規制部）を形成し、該突出部を支持軸の軸方向に延在させることもできる。この場合には、前記表示体の取付部における通孔の内部輪郭形状の一部をなし、上下方向（軸方向）に延在する溝部（係合部）を形成して、該通孔の内部輪郭形状と前記支持軸の外部輪郭形状とを合致するよう構成すればよい。このように、前記支持軸に切欠面や突出部等の規制部を形成すると共に、前記表示体の取付部に該規制部と係合する係合部を形成することで、該支持軸に対する表示体の周方向の位置決めを行なうことが可能である。
【００３７】
なお、前記通孔を形成する取付部を、前記表示体に対して固定的に設けるようにしたが、該取付部を表示体に対して前記支持軸の軸方向に変位し得るようにしてもよい。また、前記取付部を支持軸の軸方向に変位し得るよう構成することで、複数の表示体を任意の順序で該支持軸に対して嵌着しても、該表示体を該支持軸に対する周方向の特定の位置に配設することが可能である。すなわち、前記支持軸に対して任意の表示体（先の表示体）を嵌着した後に、該支持軸に別の表示体（後の表示体）を嵌着する際に、後の表示体における取付部が、先の表示体における取付部と当接すると、両取付部が当接した状態においても後の表示体は下方に変位されるので、先の表示体と同一の高さ位置、かつ支持軸に対して周方向の特定の位置に後の表示体が配設される。
【００３８】
実施例では、第１の回転体に支持軸を立設して、該支持軸の周方向に相互に変位するように各表示体を配設するようにしたが、先に表示体を支持軸に配設し、その後に当該支持軸の上下の端部に第１の回転体および第２の回転体を配設するようにしてもよい。また、前記支持軸を鉛直に配置して回転表示体を上下で回転可能に支持する構成に限らず、支持軸を水平に配置して左右で回転可能に支持するよう構成することも可能である。
【００３９】
更に、前記第１の回転体の下部位置に一体的に形成した第２歯車と駆動手段に取付けた第１歯車を噛合させて連繋接続するようにしたが、前記第２歯車を別体として形成するようにしてもよく、また第１の回転体と駆動手段とをベルトやその他の伝達手段を介して連繋接続させることもできる。更にまた、前記位置検出体を前記第２の回転体に形成するようにしたが、第１の回転体に形成することも可能である。なお、遊技機としてはパチンコ機に限られず、アレンジボール機等の遊技球を媒体として遊技がなされる遊技領域を有する遊技盤を備えるものであれば何れの遊技機であってもよい。
【００４０】
【発明の効果】
以上説明したように、本発明に係る補助表示装置の回転表示体は、駆動手段により回転および停止がなされる回転体に接続されて一体的に回転する支持軸を、その横断面が非円形となるよう形成し、前記支持軸に着脱交換可能に配設される少なくとも１つの表示体の裏面に突設した取付部に、該支持軸の外部輪郭形状と合致する内部輪郭形状の通孔を形成し、支持軸に対して通孔を介して表示体を嵌着することで、該支持軸に対する表示体の周方向の位置を特定することができるから、ビス等を使用することなく位置決めすることが可能で、簡単に組付け作業を行ない得る。また、前記支持軸に前記表示体を複数配設した際に、各表示体の前記取付部を、該支持軸の軸方向に相互に異なる位置に突設すると共に、前記各通孔における内部輪郭形状の一部をなし、前記支持軸の外部輪郭形状の一部をなす規制部と係合して周方向の位置決めを行なう係合部を、前記規制部と係合部とを係合するように前記支持軸に対して通孔を介して前記表示体を嵌着した際に前記各表示体が前記支持軸の周方向に相互に変位する位置に配置される関係で、当該の表示体に対して夫々設けることで、前記支持軸に対する各表示体の周方向の取付け位置を特定することができる。
【００４１】
前記支持軸の一端に配設した回転体と他端に配設した第２の回転体との間に、前記表示体を配設するようにしたので、該表示体の支持軸からの抜け止めがなされ、当該表示体を常には所定の位置に位置させることが可能となる。また、前記両回転体の何れか一方に位置検出体を設けたことで、該位置検出体を検出することで前記表示体の原位置が認識できるようになる。
【図面の簡単な説明】
【図１】本発明の実施例に係る回転表示体を分解した状態で示す斜視図である。
【図２】実施例に係る補助表示装置を配設したパチンコ機を示す正面図である。
【図３】実施例に係る回転表示体を第１表示体を取外した状態で示す正面図である。
【図４】実施例に係る第１〜第３表示体の背面図である。
【図５】実施例に係る第１の回転体および第１〜第３表示体を分解した状態で、各部材の位置関係を示す平面図である。
【図６】実施例に係る第２の回転体および第１〜第３表示体を分解した状態で、各部材の位置関係を示す底面図である。
【符号の説明】
２０　補助表示装置
２３　支持軸
２３ａ　切欠面（規制部）
２５　第１の回転体（回転体）
２７　第２の回転体
２８　位置検出体
３１　第１表示体（表示体）
３３　第１取付部（取付部）
３３ａ　第１通孔（通孔）
３３ｂ　第１支持面（係合部）
３４　第２表示体（表示体）
３６　第２取付部（取付部）
３６ａ　第２通孔（通孔）
３６ｂ　第２支持面（係合部）
３７　第３表示体（表示体）
３９　第３取付部（取付部）
３９ａ　第３通孔（通孔）
３９ｂ　第３支持面（係合部）
４１　駆動手段
【図１】
2004033304.tif 000003
【図２】
2004033304.tif 000004
【図３】
2004033304.tif 000005
【図４】
2004033304.tif 000006
【図５】
2004033304.tif 000007
【図６】
2004033304.tif 000008